(57)【要約】【課題】室内の環境を適正範囲内に維持することが容易に可能な空調システム、空調制御装置、空調制御方法及びプログラムを提供することである。【解決手段】実施形態の空調システムは、空調対象空間における第１空間に空調対象空間外から空気を供給する給気機能と、第２空間の空気を空調対象空間外に排出する排気機能とを有する空調機と、空調対象空間内に設けられ、第２空間の空気を第１空間へ送る空気循環装置と、空調制御装置とを持つ。空調制御装置は、空調対象空間に関連する環境状態の検出結果に基づいて空気循環装置を動作させない運転モードを設定すべきことが判定された場合には、所定の空調動作を空調機が行うように制御し、空気循環装置を動作させる運転モードを設定すべきことが判定された場合には、空気循環装置が動作するように制御する。【選択図】図７
2016057020.tif 000002
【特許請求の範囲】
【請求項１】
空調対象空間において熱源の吸気口が配置される第１空間に空調対象空間外から空気を供給する給気機能と、前記空調対象空間において熱源の排気口が配置される第２空間の空気を空調対象空間外に排出する排気機能とを有する空調機と、
前記空調対象空間内に設けられ、前記第２空間の空気を前記第１空間へ送る空気循環装置と、
空調制御装置とを備え、
前記空調制御装置は、
前記空調対象空間に関連する環境状態の検出結果に基づいて、前記空気循環装置を動作させない運転モードと前記空気循環装置を動作させる運転モードとのいずれを設定すべきかを判定する運転モード判定部と、
前記運転モード判定部により、前記空気循環装置を動作させない運転モードを設定すべきことが判定された場合には、所定の空調動作を空調機が行うように制御し、前記空気循環装置を動作させる運転モードを設定すべきことが判定された場合には、前記空気循環装置が動作するように制御する運転制御部とを備える
空調システム。
【請求項２】
前記空気循環装置を動作させない運転モードは、前記空調機が前記第２空間から空調対象空間外に空気を排出させるとともに、外気に前記第２空間から空調対象空間外に排出された空気を混合して前記第１空間に供給する空気混合運転モードを含み、
前記空気循環装置を動作させる運転モードは、前記空気混合運転モードでは空調対象空間内の環境を適正範囲内に維持できない場合に対応して設定される運転モードである
請求項１に記載の空調システム。
【請求項３】
空調対象空間において熱源の吸気口が配置される第１空間に空調対象空間外から空気を供給する給気機能と、前記空調対象空間において熱源の排気口が配置される第２空間の空気を空調対象空間外に排出する排気機能とを有する空調機と、前記空調対象空間内に設けられ、前記第２空間の空気を前記第１空間へ送る空気循環装置とを制御する空調制御装置であって、
前記空調対象空間に関連する環境状態の検出結果に基づいて、前記空気循環装置を動作させない運転モードと前記空気循環装置を動作させる運転モードとのいずれを設定すべきかを判定する運転モード判定部と、
前記運転モード判定部により、前記空気循環装置を動作させない運転モードを設定すべきことが判定された場合には、所定の空調動作を空調機が行うように制御し、前記空気循環装置を動作させる運転モードを設定すべきことが判定された場合には、前記空気循環装置が動作するように制御する運転制御部と
を備える空調制御装置。
【請求項４】
空調対象空間において熱源の吸気口が配置される第１空間に空調対象空間外から空気を供給する給気機能と、前記空調対象空間において熱源の排気口が配置される第２空間の空気を空調対象空間外に排出する排気機能とを有する空調機と、前記空調対象空間内に設けられ、前記第２空間の空気を前記第１空間へ送る空気循環装置とを制御する空調制御方法であって、
前記空調対象空間に関連する環境状態の検出結果に基づいて、前記空気循環装置を動作させない運転モードと前記空気循環装置を動作させる運転モードとのいずれを設定すべきかを判定する運転モード判定ステップと、
前記運転モード判定ステップにより、前記空気循環装置を動作させない運転モードを設定すべきことが判定された場合には、所定の空調動作を空調機が行うように制御し、前記空気循環装置を動作させる運転モードを設定すべきことが判定された場合には、前記空気循環装置が動作するように制御する運転制御ステップと
を含む空調制御方法。
【請求項５】
空調対象空間において熱源の吸気口が配置される第１空間に空調対象空間外から空気を供給する給気機能と、前記空調対象空間において熱源の排気口が配置される第２空間の空気を空調対象空間外に排出する排気機能とを有する空調機と、前記空調対象空間内に設けられ、前記第２空間の空気を前記第１空間へ送る空気循環装置とを制御するコンピュータに、
前記空調対象空間に関連する環境状態の検出結果に基づいて、前記空気循環装置を動作させない運転モードと前記空気循環装置を動作させる運転モードとのいずれを設定すべきかを判定する運転モード判定ステップと、
前記運転モード判定ステップにより、前記空気循環装置を動作させない運転モードを設定すべきことが判定された場合には、所定の空調動作を空調機が行うように制御し、前記空気循環装置を動作させる運転モードを設定すべきことが判定された場合には、前記空気循環装置が動作するように制御する運転制御ステップと
を実行させるためのプログラム。
【発明の詳細な説明】
【技術分野】
【０００１】
本発明の実施形態は、空調システム、空調制御装置、空調制御方法及びプログラムに関する。
【背景技術】
【０００２】
サーバなどの熱源をホットエリアとコールドエリアとの境界に配置したうえで、室外からコールドエリアへの空気の供給と、ホットエリアから室外への排気とを併用して室内の空調を行うシステムがある。
【０００３】
しかし、上記のように室外からの給気を伴う空調は、冬期の外気温が著しく低下した場合に、室内の環境を予め定められた適正範囲内に維持することが難しくなる場合があった。
【先行技術文献】
【特許文献】
【０００４】
【特許文献１】特開２０１１−２４２０１０号公報
【発明の概要】
【発明が解決しようとする課題】
【０００５】
本発明が解決しようとする課題は、室内の環境を適正範囲内に維持することが容易に可能な空調システム、空調制御装置、空調制御方法及びプログラムを提供することである。
【課題を解決するための手段】
【０００６】
実施形態の空調システムは、空調機と、空気循環装置と、空調制御装置とを持つ。空調機は、空調対象空間において熱源の吸気口が配置される第１空間に空調対象空間外から空気を供給する給気機能と、前記空調対象空間において前記熱源の排気口が配置される第２空間の空気を空調対象空間外に排出する排気機能とを持つ。空気循環装置は、前記空調対象空間内に設けられ、前記第２空間の空気を前記第１空間へ送る。空調制御装置は、運転モード判定部と、運転制御部とを持つ。運転モード判定部は、前記空調対象空間に関連する環境状態の検出結果に基づいて、前記空気循環装置を動作させない運転モードと前記空気循環装置を動作させる運転モードとのいずれを設定すべきかを判定する。運転制御部は、前記運転モード判定部により、前記空気循環装置を動作させない運転モードを設定すべきことが判定された場合には、所定の空調動作を空調機が行うように制御し、前記空気循環装置を動作させる運転モードを設定すべきことが判定された場合には、前記空気循環装置が動作するように制御する。
【図面の簡単な説明】
【０００７】
【図１】本実施形態の空調システムと、第１運転モードによる空調動作例とを示す図。
【図２】本実施形態の空調システムにおける第２運転モードによる空調動作例を示す図。
【図３】本実施形態の空調システムにおける第３運転モードによる空調動作例を示す図。
【図４】本実施形態の空調システムにおける第４運転モードによる空調動作例を示す図。
【図５】本実施形態における空調制御装置の構成例を示す図。
【図６】本実施形態における運転モード判定情報の構造例を示す図。
【図７】本実施形態における空調制御装置が実行する処理手順例を示すフローチャート。
【発明を実施するための形態】
【０００８】
以下、実施形態の空調システム、空調制御装置、空調制御方法及びプログラムを、図面を参照して説明する。
【０００９】
図１は、本実施形態における空調システム１の構成例を示している。本実施形態における空調システム１は、サーバコンテナ１００の室内（空調対象空間の一例）の空調を行う。本実施形態の空調システム１は、空調機２００、空気循環装置１１０、空調制御装置４００及び温湿度センサ５００−１〜５００−３を備える。
【００１０】
先ず、サーバコンテナ１００の構成について説明する。同図では、平面方向からみた場合のサーバコンテナ１００の構造を模式的に示している。
サーバコンテナ１００内には、複数のサーバラック１０１が図のように並べられた状態で設置される。サーバラック１０１にはサーバ（熱源の一例）としての機器が収納される。また、サーバコンテナ１００内には、空気循環装置１１０が設置される。
そのうえで、サーバコンテナ１００の室内において、サーバコンテナ１００と空気循環装置１１０とが設置された場所以外の隙間がカーテン１０２により仕切られる。これにより、サーバコンテナ１００の室内は、コールドエリア１０３Ｃ（第１空間の一例）とホットエリア１０３Ｈ（第２空間の一例）とに分離される。
【００１１】
コールドエリア１０３Ｃは、サーバラック１０１に収納されたサーバの吸気口が配置される空間である。
ホットエリア１０３Ｈは、サーバラック１０１に収納されたサーバの排気口が配置される空間である。
【００１２】
例えば、サーバは、前面の吸気口から空気を吸引し、吸引した空気により内部の部品を冷却する。そして、内部の部品の熱が伝導して温度が上昇した空気を背面の排気口から排出させる。そこで、サーバは、コールドエリア１０３Ｃ側が前面で、ホットエリア１０３Ｈ側が背面となるようにサーバラック１０１に収納される。
これにより、サーバは、動作時において、コールドエリア１０３Ｃの空気を吸引して内部の部品の冷却を行い、部品の冷却に伴って温度が上昇した空気をホットエリア１０３Ｈに排出する。
【００１３】
なお、サーバコンテナ１００には、サーバの設置やメンテナンスなどのための作業者が出入りする扉などが設けられているが、ここでは図示を省略している。
【００１４】
空調機２００は、サーバコンテナ１００の室内の空調を行う。空調機２００は、サーバコンテナ１００の室外からコールドエリア１０３Ｃに空気を供給する給気機能と、サーバコンテナ１００の室内においてホットエリア１０３Ｈの空気をサーバコンテナ１００の室外に排出する排気機能とを有する。
【００１５】
空調機２００によるサーバコンテナ１００の室外からコールドエリア１０３Ｃへの空気の供給は、ダクト３００Ｃを経由して行われる。また、空調機２００によるホットエリア１０３Ｈからサーバコンテナ１００の室内への空気の排出はダクト３００Ｈを経由して行われる。
【００１６】
空気循環装置１１０は、これまでの説明から理解されるように、サーバコンテナ１００の室内において、コールドエリア１０３Ｃとホットエリア１０３Ｈとの境界に設けられる。そして、空気循環装置１１０は、ホットエリア１０３Ｈの空気をコールドエリア１０３Ｃに排出するように動作する。つまり、空気循環装置１１０は、サーバコンテナ１００の室内において、サーバによりホットエリア１０３Ｈに排出された空気を吸引し、コールドエリア１０３Ｃに排出するように空気を循環させる。
【００１７】
空調制御装置４００は、空調機２００と空気循環装置１１０の動作を制御する。空調制御装置４００は、空調機２００と空気循環装置１１０の動作を制御するにあたり、温湿度センサ５００−１〜５００−３により検出された温度、湿度を利用する。
温湿度センサ５００−１は、コールドエリア１０３Ｃにおける温度、湿度を検出する。
温湿度センサ５００−２は、ホットエリア１０３Ｈにおける温度、湿度を検出する。
温湿度センサ５００−３は、サーバコンテナ１００の室外の温度、湿度を検出する。
【００１８】
空調制御装置４００は、温湿度センサ５００−１〜５００−３のそれぞれにより検出された温度、湿度を、サーバコンテナ１００に関連する環境状態の検出結果として入力する。空調制御装置４００は、入力した環境状態の検出結果に基づいて、例えば、サーバコンテナ１００の室内の温度、湿度を予め定めた適正範囲内に収めることのできる運転モードを判定する。そして、空調制御装置４００は、判定した運転モードに従って空調機２００と空気循環装置１１０との動作を制御する。
【００１９】
同図において、空調制御装置４００は、サーバコンテナ１００及び空調機２００としてのモジュールに対して個別に設けられた状態で示されている。しかし、空調制御装置４００は、サーバコンテナ１００としてのモジュールあるいは空調機２００としてのモジュールの空間内に設けられてもよい。
一具体例として、空調機２００としてのモジュール内には、制御盤室（コントロール室）としての空間が設けられている。空調制御装置４００は、制御盤室に設けることができる。
【００２０】
本実施形態においては、第１運転モードから第４運転モードまでの４つの運転モードが定められている。
そこで、同じ図１と、図２〜図４とを参照して、本実施形態の空調システムにおける各運転モードについて説明する。
【００２１】
先ず、図１を参照して第１運転モードについて説明する。第１運転モードは、同図に示すように、空調機２００により、サーバコンテナ１００の室外の空気（外気）をそのままコールドエリア１０３Ｃに供給するとともに、ホットエリア１０３Ｈの空気をサーバコンテナ１００の室外に排出させる運転モードである。第１運転モードにおいて、空気循環装置１１０は動作を停止した状態である。
【００２２】
第１運転モードは、例えば春期、秋期などのように、外気の温度、湿度がほぼ適正範囲に収まっており、外気をそのままコールドエリア１０３Ｃに供給しても、サーバコンテナ１００の室内（コールドエリア１０３Ｃ及びホットエリア１０３Ｈ）の温度、湿度を適正範囲内に収められるような場合に設定される運転モードである。
【００２３】
続いて、図２を参照して第２運転モードについて説明する。なお、同図において、図１と同一部分には同一符号を付して説明を省略する。
第２運転モードは、同図に示すように、ホットエリア１０３Ｈからサーバコンテナ１００の室外に排気させた空気を、空調機２００が備える冷却ユニット２０１が吸入して冷却し、冷却された空気を、空調機２００がコールドエリア１０３Ｃに供給するという運転モードである。なお、空調機２００は、冷却ユニット２０１を動作させる際には、冷却ユニット２０１とともに室外機６００を動作させる。冷却ユニット２０１は、室外機６００と協働して、吸入した空気を冷却する。
また、第２運転モードにおいても、空気循環装置１１０は動作を停止した状態である。
【００２４】
第２運転モードは、夏期のように外気が高温、多湿の状態であって、例えば第１運転モードでは、サーバコンテナ１００の室内の温度、湿度が適正範囲より高くなってしまうような場合に設定される運転モードである。
【００２５】
続いて、図３を参照して第３運転モード（空気混合運転モードの一例）について説明する。なお、同図において、図１と同一部分には同一符号を付して説明を省略する。
第３運転モードは、同図に示すように、空調機２００が、ホットエリア１０３Ｈからサーバコンテナ１００の室外に排出させるとともに、排出された空気（排気）の一部を外気に混合させる。そして、空調機２００により、排気が混合された外気をコールドエリア１０３Ｃに供給するという運転モードである。
なお、第３運転モードにおいて、空気循環装置１１０は動作を停止した状態である。
【００２６】
第３運転モードでは、外気よりも高い温度の空気がコールドエリア１０３Ｃに供給される。このような第３運転モードは、冬期のように外気の温度、湿度が低い状態であって、例えば第１運転モードでは、サーバコンテナ１００の室内の温度、湿度が適正範囲より低くなってしまうような場合に設定される運転モードである。
【００２７】
上記の第１運転モード、第２運転モード及び第３運転モードは、いずれも空調機２００を使用した空調が行われる空調機使用運転モードに含まれる。
【００２８】
図１〜図３にて説明したように、第１運転モード、第２運転モード及び第３運転モードにより、大きくは春期、夏期、秋期、冬期ごとのサーバコンテナ１００の外気の温度、湿度などの環境状態に応じて、一年を通じてサーバコンテナ１００の室内環境が適正範囲内に収まる状態となるようにすることができる。
【００２９】
ここで、サーバコンテナ１００及び空調機２００の各モジュールとしての外壁は断熱構造を有している。しかし、空調機２００において給気、排気、空気の混合などの経路を形成するために開閉可能に設けられるダンパーの部分は外気の影響を受けやすいことから、ダンパーの部分を介して外気温が内部に伝達されやすい。例えば、外気温が著しく低下すれば、ダンパーの部分が外気により冷却されて空調機２００の内部の温度が低下し、ダクト３００Ｃ、３００Ｈを介してサーバコンテナ１００の内部の温度も低下する。
このために、例えば外気温が１５℃から１０℃にまで低下した場合、コールドエリア１０３Ｃを、例えば適温の下限値（例えば２５℃）以上に維持することができなくなる場合がある。そして、さらにコールドエリア１０３Ｃの温度が約１５℃にまで低下すると、結露が発生してサーバに影響を及ぼす可能性がある。
例えば、サーバコンテナ１００におけるサーバ負荷については、例えば２０ＫＶ以上などといったように推奨値が定められている。しかし、例えば運用開始直後などでサーバの設置数が少ないような状況では、推奨値よりも低いサーバ負荷で運用されることもある。特に、このような場合にコールドエリア１０３Ｃの温度が適正範囲よりも低下しやすくなる。
上記のように、サーバコンテナ１００の室内の温度が適正範囲よりも低くなる状態（ここでは「過低温」とも呼ぶ）となった場合には、第３運転モードとしたうえで、外気へのホットエリア１０３Ｈからの排気の混合率を高めていくことになる。これにより、混合率が高くなるのに応じてコールドエリア１０３Ｃに供給される空気の温度を高くしていくことができる。しかし、外気温やサーバ負荷などの状態によっては、混合率を高めても、サーバコンテナ１００の室内の環境を適正範囲内に復帰させることができない場合がある。このような状態では、前述のようにサーバコンテナ１００の室内において結露が発生する可能性がでてくる。
【００３０】
そこで、本実施形態においては、上記のように第３運転モードによってもサーバコンテナ１００の室内の環境を適正範囲内に維持することができない過低温の場合に対応して、第４運転モード（空気循環装置使用運転モードの一例）を設ける。
【００３１】
図４を参照して、本実施形態の第４運転モードについて説明する。なお、同図において、図１と同一部分には同一符号を付して説明を省略する。
第４運転モードでは、先ず、空調機２００の動作が停止される。これにより、サーバコンテナ１００の室外からコールドエリア１０３Ｃへの空気の供給と、ホットエリア１０３Ｈからサーバコンテナ１００の室外への空気の排出は行われない。そして、第４運転モードでは、空気循環装置１１０が動作する。
【００３２】
空気循環装置１１０は、同図のように、サーバコンテナ１００の室内においてホットエリア１０３Ｈとコールドエリア１０３Ｃの境界に設けられている。そして、空気循環装置１１０は、ホットエリア１０３Ｈから吸入した空気を、コールドエリア１０３Ｃに直接排出するように動作する。
【００３３】
上記のように空調機２００が停止した状態で空気循環装置１１０が動作すれば、ホットエリア１０３Ｈにおいてサーバにより温度が上昇された空気に例えば外気が混合されることなく、そのままコールドエリア１０３Ｃに供給される。つまり、第４運転モードでは、第３運転モードよりも高い温度の空気をコールドエリア１０３Ｃに供給できる。
このように第４運転モードにより、第３運転モードよりも高い温度の空気をコールドエリア１０３Ｃに供給できることで、サーバコンテナ１００の室内環境を適正範囲内で維持することが可能となり、過低温の状態を回避することができる。
【００３４】
続いて、図５を参照して、本実施形態における空調制御装置４００の構成例について説明する。同図に示す空調制御装置４００は、運転モード判定部４０１、運転モード判定情報記憶部４０２及び運転制御部４０３を備える。
なお、運転モード判定部４０１及び運転制御部４０３としての機能部は、例えば空調制御装置４００において備えられるＣＰＵ（Central Processing Unit）がプログラムを実行することにより実現されればよい。
【００３５】
運転モード判定部４０１は、サーバコンテナ１００に関連する環境状態の検出結果に基づいて、空気循環装置を動作させない運転モードと空気循環装置を動作させる運転モードとのいずれを設定すべきかを判定する。
ここで、サーバコンテナ１００に関連する環境状態の検出結果とは、温湿度センサ５００−１、５００−２及び５００−３にて検出された温度、湿度である。つまり、サーバコンテナ１００に関連する環境状態の検出結果は、サーバコンテナ１００の室内（コールドエリア１０３Ｃとホットエリア１０３Ｈ）の温度、湿度と、サーバコンテナ１００の室外の温度、湿度である。
本実施形態において、空気循環装置１１０を動作させない運転モードは、空調機２００を使用して空調が行われる。つまり、空気循環装置１１０を動作させない運転モードは、前述の空調機使用運転モードである。また、空気循環装置１１０を動作させる運転モードは、前述の空気循環装置使用運転モードである。
【００３６】
また、本実施形態においては、図１〜図３にて説明したように、空調機使用運転モードとして第１運転モード、第２運転モード及び第３運転モードがある。また、図４にて説明したように、空気循環装置使用運転モードとして第４運転モードがある。
そこで、本実施形態の運転モード判定部４０１は、第１運転モード〜第４運転モードのうちの４つの運転モードのうちから、いずれの運転モードを設定すべきかを判定する。
【００３７】
運転モード判定部４０１は、運転モードを判定するにあたり、運転モード判定情報記憶部４０２が記憶する運転モード判定情報を利用する。
図６は、運転モード判定情報記憶部４０２が記憶する運転モード判定情報の構造例を示している。
同図に示すように、第１運転モード〜第４運転モードごとに対応して環境状態情報１〜環境状態情報４が格納された構造である。
環境状態情報１は、第１運転モードとすべき環境状態を示す環境状態情報である。ここで、環境状態情報によっては、コールドエリア１０３Ｃの温度、湿度、ホットエリア１０３Ｈの温度、湿度、サーバコンテナ１００の室外の温度、湿度による各要素のうちの所定の１以上の要素の数値範囲によって環境状態が示される。
環境状態情報２は、第２運転モードとすべき環境状態の検出結果を示す情報である。環境状態情報３は、第３運転モードとすべき環境状態の検出結果を示す情報である。環境状態情報４は、第４運転モードとすべき環境状態の検出結果を示す情報である。
【００３８】
なお、第４運転モードに対応する環境状態情報４は、例えば前述のようにコールドエリア１０３Ｃの適温の下限が２５℃である場合には、温湿度センサ５００−１により検出されるコールドエリア１０３Ｃの温度が２５℃未満の範囲を示す情報とすることができる。また、環境状態情報４は、コールドエリア１０３Ｃにおける温度の範囲とともに、結露の発生に応じて定めた湿度の範囲を示す情報とすることもできる。
【００３９】
運転モード判定部４０１は、温湿度センサ５００−１〜５００−３のそれぞれが検出した温度、湿度により示される環境状態の検出結果が、環境状態情報１〜環境状態情報４のうちのいずれに該当するのかを判定する。
そして、運転モード判定部４０１は、環境状態の検出結果が該当する環境状態情報に対応付けられた運転モードを、設定すべき運転モードであるとして判定する。
【００４０】
運転制御部４０３は、運転モード判定部４０１により空調機使用運転モードを設定すべきことが判定された場合には、所定の空調動作を空調機２００が行うように制御する。
具体的に、空調機使用運転モードとしては、第１運転モード〜第３運転モードのうちのいずれかの運転モードが運転モード判定部４０１により判定される。
そこで、運転制御部４０３は、空調機使用運転モードとして第１運転モードを設定すべきと判定された場合には、図１にて説明した空調が行われるように空調機２００を制御し、空気循環装置１１０については動作の停止を指示する。
また、運転制御部４０３は、空調機使用運転モードとして第２運転モードを設定すべきと判定された場合には、図２にて説明した空調が行われるように空調機２００を制御し、空気循環装置１１０については動作の停止を指示する。また、運転制御部４０３は、空調機使用運転モードとして第３運転モードを設定すべきと判定された場合には、図３にて説明した空調が行われるように空調機２００を制御し、空気循環装置１１０については動作の停止を指示する。
【００４１】
また、運転制御部４０３は、運転モード判定部４０１により空気循環装置使用運転モードを設定すべきことが判定された場合には、空気循環装置１１０が動作するように制御する。
つまり、運転制御部４０３は、空気循環装置使用運転モードである第４運転モードを設定すべきことが運転モード判定部４０１により判定された場合には、空調機２００の動作の停止を指示するとともに、空気循環装置１１０に動作の実行を指示する。これにより、図４にて説明した空調が行われる。
【００４２】
続いて、図７のフローチャートを参照して、本実施形態の空調制御装置４００が実行する処理手順例について説明する。
先ず、運転モード判定部４０１は、温湿度センサ５００−１〜５００−３のそれぞれが検出した湿度、温度を、環境状態の検出結果として入力する（ステップＳ１０１）。
次に、運転モード判定部４０１は、ステップＳ１０１にて入力した環境状態の検出結果に基づいて、設定すべき運転モードを判定する（ステップＳ１０２）。運転モードの判定にあたり、運転モード判定部４０１は、前述のように、運転モード判定情報記憶部４０２が記憶する運転モード判定情報を参照する。
【００４３】
次に、運転制御部４０３は、ステップＳ１０２により判定された運転モードが第１運転モードであるか否かについて判定する（ステップＳ１０３）。
第１運転モードである場合（ステップＳ１０３−ＹＥＳ）、運転制御部４０３は、空調機２００が図１にて説明した第１運転モードに対応する空調動作を行うように制御する（ステップＳ１０４）。
また、運転制御部４０３は、上記のステップＳ１０４の処理とともに空気循環装置１１０の動作を停止させる（ステップＳ１０５）。
【００４４】
ステップＳ１０２により判定された運転モードが第１運転モードではない場合（ステップＳ１０３−ＮＯ）、運転制御部４０３は、ステップＳ１０２により判定された運転モードが第２運転モードであるか否かについて判定する（ステップＳ１０６）。
第２運転モードである場合（ステップＳ１０６−ＹＥＳ）、運転制御部４０３は、空調機２００が図２にて説明した第２運転モードに対応する空調動作を行うように制御する（ステップＳ１０７）。
また、運転制御部４０３は、上記のステップＳ１０７の処理とともに空気循環装置１１０の動作を停止させる（ステップＳ１０８）。
【００４５】
また、ステップＳ１０２により判定された運転モードが第２運転モードではない場合（ステップＳ１０６−ＮＯ）、運転制御部４０３は、ステップＳ１０２により判定された運転モードが第３運転モードであるか否かについて判定する（ステップＳ１０９）。
第３運転モードである場合（ステップＳ１０９−ＹＥＳ）、運転制御部４０３は、空調機２００が図３にて説明した第３運転モードに対応する空調動作を行うように制御する（ステップＳ１１０）。
また、運転制御部４０３は、上記のステップＳ１０４の処理とともに空気循環装置１１０の動作を停止させる（ステップＳ１１１）。
【００４６】
ステップＳ１０２により判定された運転モードが第３運転モードではない場合（ステップＳ１０９−ＮＯ）、ステップＳ１０２により判定された運転モードは第４運転モードである。
そこで、この場合の運転制御部４０３は、空調機２００の動作を停止させる（ステップＳ１１２）。また、運転制御部４０３は、ステップＳ１１２の処理と併せて空気循環装置１１０が動作するように制御する（ステップＳ１１３）。このようにステップＳ１１２及びステップＳ１１３の処理が実行されることで、図４にて説明した第４運転モードとしての空調が行われる。
なお、同図に示す処理は、例えば予め定めた一定時間ごとに実行されればよい。
【００４７】
なお、上記実施形態においては、空調機使用運転モードとして、図１〜図３により説明した第１運転モード〜第３運転モードの３つを挙げた。しかし、空調機使用運転モードとしては、第１運転モード〜第３運転モードのうちの一部が行われるような構成であってもよい。
なお、上記実施形態の空気循環装置使用運転モード（第４運転モード）にあっては、空調機２００の動作が停止されたうえで空気循環装置１１０が動作するようにされている。しかし、空気循環装置使用運転モード（第４運転モード）として、空気循環装置１１０が動作したうえで、空調機２００も所定の動作を行うようにされてもよい。一例として、空気循環装置使用運転モード（第４運転モード）として、空調機２００が第３運転モードによる動作を行っている状態のもとで空気循環装置１１０を動作させることができる。
【００４８】
なお、上記実施形態においては、サーバを熱源とするサーバコンテナ１００の室内を空調対象空間として空調を行う場合を例に挙げている。しかし、本実施形態としては、サーバ以外の各種電子機器を熱源とする室内などを空調対象空間としてもよい。
【００４９】
以上説明した少なくともひとつの実施形態によれば、空気循環装置使用運転モード（第４運転モード）を設定すべきことが判定された場合には、空調機の動作を停止させて空気循環装置によりホットエリア１０３Ｈの空気をコールドエリア１０３Ｃに供給するという構成を持つことにより、室内の環境を適正範囲内に維持することを容易に可能とすることができる。
【００５０】
なお、上述の空調制御装置４００としての機能を実現するためのプログラムをコンピュータ読み取り可能な記録媒体に記録して、この記録媒体に記録されたプログラムをコンピュータシステムに読み込ませ、実行することにより上述の空調制御装置４００としての各処理を行ってもよい。ここで、「記録媒体に記録されたプログラムをコンピュータシステムに読み込ませ、実行する」とは、コンピュータシステムにプログラムをインストールすることを含む。ここでいう「コンピュータシステム」とは、ＯＳや周辺機器等のハードウェアを含むものとする。また、「コンピュータシステム」は、インターネットやＷＡＮ、ＬＡＮ、専用回線等の通信回線を含むネットワークを介して接続された複数のコンピュータ装置を含んでもよい。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。このように、プログラムを記憶した記録媒体は、ＣＤ−ＲＯＭ等の非一過性の記録媒体であってもよい。また、記録媒体には、当該プログラムを配信するために配信サーバからアクセス可能な内部または外部に設けられた記録媒体も含まれる。配信サーバの記録媒体に記憶されるプログラムのコードは、端末装置で実行可能な形式のプログラムのコードと異なるものでもよい。すなわち、配信サーバからダウンロードされて端末装置で実行可能な形でインストールができるものであれば、配信サーバで記憶される形式は問わない。なお、プログラムを複数に分割し、それぞれ異なるタイミングでダウンロードした後に端末装置で合体される構成や、分割されたプログラムのそれぞれを配信する配信サーバが異なっていてもよい。さらに「コンピュータ読み取り可能な記録媒体」とは、ネットワークを介してプログラムが送信された場合のサーバやクライアントとなるコンピュータシステム内部の揮発性メモリ（ＲＡＭ）のように、一定時間プログラムを保持しているものも含むものとする。また、上記プログラムは、上述した機能の一部を実現するためのものであってもよい。さらに、上述した機能をコンピュータシステムにすでに記録されているプログラムとの組み合わせで実現できるもの、いわゆる差分ファイル（差分プログラム）であってもよい。
【００５１】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５２】
１…空調システム、１００…サーバコンテナ、１０１…サーバラック、１０２…カーテン、１０３Ｃ…コールドエリア、１０３Ｈ…ホットエリア、１１０…空気循環装置、２００…空調機、２０１…冷却ユニット、３００Ｃ…ダクト、３００Ｈ…ダクト、４００…空調制御装置、４０１…運転モード判定部、４０２…運転モード判定情報記憶部、４０３…運転制御部、５００−１〜５００−３…温湿度センサ、６００…室外機
【図１】
2016057020.tif 000003
【図２】
2016057020.tif 000004
【図３】
2016057020.tif 000005
【図４】
2016057020.tif 000006
【図５】
2016057020.tif 000007
【図６】
2016057020.tif 000008
【図７】
2016057020.tif 000009